(57)【要約】　　　（修正有）【課題】ペット用給水器の浄水装置の提供。【解決手段】容器１０と給水管２０を具え、該容器に瓶口１１が設けられて給水管と接合され、容器内に水が収容され、給水管をペットが舐めることにより水を供給し、該容器内に浄化棒１５が設けられ、該浄化棒が位置決め体に制限されて位置決めされ、これにより浄化棒が水に浸されて、浄水、不純物除去、ろ過の機能を提供する。【選択図】　　図１
0003099414.tif 000002
【実用新案登録請求の範囲】
【請求項１】
　容器と給水管を具え、該容器に瓶口が設けられて該瓶口が給水管と接合され、該容器内に水が収容され、給水管はペットが舐めることによりペットに水を供給し、該容器内に浄化棒が設けられ、該浄化棒が位置決め体に制限されて位置決めされ、これにより浄化棒が水に浸されて、浄水、水中の不純物除去、水のろ過の機能を提供することを特徴とする、ペット用給水器の浄水装置。
【請求項２】
　請求項１記載のペット用給水器の浄水装置において、位置決め体がリング体とされ、該ング体の中央に中空のリングが設けられて該リングに浄化棒が挿入されて位置決めされ、該リングに複数の穿孔が設けられ、該リングが容器の瓶口に組み付けられたことを特徴とする、ペット用給水器の浄水装置。
【請求項３】
　請求項１記載のペット用給水器の浄水装置において、位置決め体が凸体とされ、該凸体が給水管の上部内に設けられて、該凸体により浄化棒の活動が制限されたことを特徴とする、ペット用給水器の浄水装置。
【考案の詳細な説明】
【技術分野】
【０００１】
　本考案はペット用品に係り、さらに詳しくは、ペット用給水器の浄水装置に関する。
【背景技術】
【０００２】
　周知のとおり、ペット用給水器は、固定式と携帯式に分けられ、一般に水を収容するための容器を必要とし、容器に給水管が組み付けられて、ペットが舐めることにより水分を供給し、衛生的で便利であり、環境に影響を与えない。
【０００３】
　しかし近年、ペットの食品に対する研究が進み、水質も、きれいであることが求められるようになった。ペットの飲用、或いは経常的な洗浄を行なわないために、容器内に収容された水が混濁し、不純物を含み、不潔となりやすい。このためペットに病気をもたらしたり、抵抗力を弱めたり、或いは伝染病に感染させて死亡させてしまうこともある。ゆえにペット用給水器は衛生面でも配慮が必要である。
【考案の開示】
【考案が解決しようとする課題】
【０００４】
　本考案の主要な目的は、一種のペット用給水器の浄水装置を提供することにあり、それは、容器或いは給水管内の水を浄化でき、不純物を除去し、水質をきれいにし、ペットの飲用に供することのできるものとする。
【０００５】
　本考案のもう一つの目的は、一種のペット用給水器の浄水装置を提供することにあり、それは、固定式或いは携帯式ペット用給水器のいずれにも応用でき、ペットの飼育に便利で、その浄化棒の着脱が容易であるものとする。
【課題を解決するための手段】
【０００６】
　請求項１の考案は、容器と給水管を具え、該容器に瓶口が設けられて該瓶口が給水管と接合され、該容器内に水が収容され、給水管はペットが舐めることによりペットに水を供給し、該容器内に浄化棒が設けられ、該浄化棒が位置決め体に制限されて位置決めされ、これにより浄化棒が水に浸されて、浄水、水中の不純物除去、水のろ過の機能を提供することを特徴とする、ペット用給水器の浄水装置としている。
　請求項２の考案は、請求項１記載のペット用給水器の浄水装置において、位置決め体がリング体とされ、該ング体の中央に中空のリングが設けられて該リングに浄化棒が挿入されて位置決めされ、該リングに複数の穿孔が設けられ、該リングが容器の瓶口に組み付けられたことを特徴とする、ペット用給水器の浄水装置としている。
　請求項３の考案は、請求項１記載のペット用給水器の浄水装置において、位置決め体が凸体とされ、該凸体が給水管の上部内に設けられて、該凸体により浄化棒の活動が制限されたことを特徴とする、ペット用給水器の浄水装置としている。
【考案の効果】
【０００７】
　本考案は上述の従来の技術の欠点を改善するペット用給水器の浄水装置を提供し、それは、容器と給水管を具え、該容器に瓶口が設けられて給水管に接合され、容器内に水が収容され、給水管がペットへの給水に供され、該容器内に浄化棒が設けられ、該浄化棒が位置決め体に制限されて位置決めされ、これにより、浄化棒が水に浸されて、水の浄化、不純物除去、ろ過の機能を提供する。
【考案を実施するための最良の形態】
【０００８】
　図１、２、３に示されるように、本考案のペット用給水器の浄水装置は、容器１０、給水管２０を具え、携帯式とされ、該容器１０は水を収容するのに供され、容器１０の下方が瓶口１１とされ、該瓶口１１外周にネジ山が設けられ、容器１０の上方にもう一つの瓶口１２が設けられ（或いは瓶口１２は不設置とされうる）、瓶口１１と給水管２０が螺合され、もう一つの瓶口１２と瓶蓋１３が螺合され、該瓶蓋１３内に位置決め体１４が設けられ、該位置決め体１４はリング体とされ、複数の穿孔１４１を具え、該位置決め体１４の中央は中空のリング１４２とされ、リング１４２に浄化棒１５が挿入される。該浄化棒１５は浄水、ろ過、不純物除去の機能を具えている。もう一つの瓶口１１と給水管２０が螺合され、瓶口１１と給水管２０の間にパッキング１６が設けられる。該給水管２０に蓋体２１が組み合わされ、該蓋体２１が給水管２０の出口部分を閉じることができ、蓋体２１がバンド２２で給水管に連接されている。
【０００９】
　以上の装置の組合せにより、本考案のペット用給水器の浄水装置は、浄化棒１５が位置決め体１４のリング１４２内に挿入され、位置決め体１４が瓶蓋１３内に挿入され、瓶蓋１３が容器１０の瓶口１２に螺合されて、浄化棒１５が容器１０内に挿入され、別にパッキング１６が給水管２０内に組み込まれ、給水管２０と瓶口１１が組み合わされて、全体の組立が完成する。
【００１０】
　容器１０内には水が収容され、浄化棒１５が水中に浸される。これにより、水中の病原菌や不純物が除去され、水質が浄化され、また除臭、水の活性化の機能も得られる。これによりペットが水を飲む時、最良の品質の水を提供でき、且つ浄化棒１５の着脱が容易であり、交換に便利で、飼育者の使用に便利である。
【００１１】
　図４は本考案のもう一つの実施方式を示し、その容器１０の下方の瓶口１１と給水管２０内に位置決め体１４が組み付けられ、位置決め体１４が給水管２０の頭部内に設置され、浄化棒１５が容器１０の下方に位置し、これにより先の実施例と同じ効果を達成する。水分は位置決め体１４の穿孔１４１を通り排出され、ペットへの給水に供される。
【００１２】
　図５は本考案のさらにもう一つの実施例であり、容器３０と給水管４０を具え、固定方式とされて住居での使用に供される。該容器３０の下方の瓶口３１は給水管４０に連接され、瓶口３１にパッキング３２が設けられて水漏れが防止され、該給水管４０内に凸塊が設けられて位置決め体４１として用いられ、該位置決め体４１は浄化棒４２を制限し、この浄化棒４２は前述の二つの実施例と同じであり、該浄化棒４２が給水管４０内の水に浸されることで、水の浄化、除臭、殺菌、不純物除去、ろ過の効果を提供する。
【００１３】
　総合すると、本考案のペット用給水器の浄水装置は実用性、新規性及び進歩性を具えている。
【図面の簡単な説明】
【００１４】
【図１】本考案の分解斜視図である。
【図２】本考案の斜視図である。
【図３】本考案の断面図である。
【図４】本考案のもう一つの実施例の断面図である。
【図５】本考案のさらにもう一つの実施例の断面図である。
【符号の説明】
【００１５】
１０　容器　　　　１１　瓶口　　　　１２　瓶口　　　　１３　瓶蓋
１４　位置決め体　１４１　穿孔　　　１４２　リング　　１５　浄化棒
１６　パッキング　２０　給水管　　　２１　蓋体　　　　２２　バンド
３０　容器　　　　３１　瓶口　　　　３２　パッキング　４０　給水管
４１　位置決め体　４２　浄化棒
【図１】
0003099414.tif 000003
【図２】
0003099414.tif 000004
【図３】
0003099414.tif 000005
【図４】
0003099414.tif 000006
【図５】
0003099414.tif 000007